(57)【要約】【課題】  安全標識や交通標識の視認性向上、駐車場の停止位置までの距離把握の容易化、動物接近・進入の抑止を図ることができるレンチキュラーレンズを用いた表示装置を提供する。【解決手段】  安全標識と交通標識の視認性向上は、レンチキュラーレンズ背面の表示部に安全標識や交通標識を示す文字又は図形と背景とを複数のレイヤーに分けて印刷する。駐車場の停止位置までの距離把握の容易化は、レンチキュラーレンズ背面の表示部に車両の停止位置までの距離を段階的に示す数字又は文字を複数のレイヤーに分けて印刷する。動物接近・進入の抑止は、レンチキュラーレンズ背面の表示部にその動物の天敵が動いて見えるように撮影したコマを複数のレイヤーに分けて印刷する。【選択図】          図１
0003121102.tif 000002
【実用新案登録請求の範囲】
【請求項１】
レンチキュラーレンズの背面部にレンチキュラーレンズを透過して見た場合に立体的又は視線角度の違いによって見え方が異なるように印刷された表示部を備えたことを特徴とする、レンチキュラーレンズを用いた表示装置。
【請求項２】
表示部が、安全標識を構成する文字又は図形と背景とを複数のレイヤーに分けて印刷したもので、これを車両が通過する側壁又は柱又はコーナーの角部に設置することで安全標識を立体的に見せて側壁又は柱又はコーナーの視認性を高めるようにした、請求項１記載のレンチキュラーレンズを用いた表示装置。
【請求項３】
表示部が、交通標識を構成する文字又は図形と背景とを複数のレイヤーに分けて印刷したもので、交通標識を立体的に見せて視認性を高めるようにした、請求項１記載のレンチキュラーレンズを用いた表示装置。
【請求項４】
表示部が、駐車場の停止位置までの距離を段階的に示す数字又は文字を複数のレイヤーに分けて印刷したもので、これを駐車場の後壁又は側壁又は床面に設置することで運転者の視線角度の変化によって表示を異ならせて停止位置までの距離を把握させるようにした、請求項１記載のレンチキュラーレンズを用いた表示装置。
【請求項５】
表示部が、動物が避けたがる他の動物又は人間の像とその背景を複数のレイヤーに分けて印刷したもので、これを動物の接近・進入が禁止されている箇所に設置することで表示されている像を立体的に見せて動物の接近・進入を抑止できるようにした、請求項１記載のレンチキュラーレンズを用いた表示装置。
【請求項６】
表示部が、動物が避けたがる他の動物又は人間の像を動いて見せるように撮影又は描画したコマを複数のレイヤーに分けて印刷したもので、これを動物の接近・進入が禁止されている箇所に設置することで動物の視線角度の変化によって表示されている像を動くように見せて動物の接近・進入を抑止できるようにした、請求項１記載のレンチキュラーレンズを用いた表示装置。
【請求項７】
動物の避けたがる他の動物が天敵である、請求項５又は６記載のレンチキュラーレンズを用いた表示装置。
【考案の詳細な説明】
【技術分野】
【０００１】
本考案は、レンチキュラーレンズを用いた表示装置に関する。
【背景技術】
【０００２】
従来、安全標識や交通標識は金属板やプラスチック板に着色塗装したものが一般的である。これらの標識は視認性を高めるために鮮やかな色彩やデザインで表示されているが、平面的でしかも見慣れているために効果は限定的である。また、駐車場で車両を後退させて停止位置に停車させる場合、運転者はバックミラーやドアミラーあるいは窓から首を出して後方を確認しながら車両を操作するが、運転に慣れていない者にとっては難しい作業である。さらに、ゴミ置き場などネコやカラス等の動物の接近・進入が禁止されている場所では柵や覆いを設けたりすることが成されているが、容易に破られて効果はほとんどない。
【０００３】
一方、レンチキュラーレンズを用いた広告表示具が特許文献１で開示されている。レンチキュラーレンズは、左右の目に別々の像を映し出して視差を生じさせる特性と見える範囲を限定させる特性を利用することで立体的又は視線角度の違いによって表示が変化するように見せることができるというものである。本考案はこのレンチキュラーレンズの技術を応用し、安全標識や交通標識の視認性向上、駐車場の停止位置までの距離把握の容易化、動物接近・進入の抑止を図るために成されたものである。
【特許文献１】実用新案登録第３１０３９７２号公報
【考案の開示】
【考案が解決しようとする課題】
【０００４】
本考案が解決しようとする課題は、従来のこれらの問題点を解消し、安全標識や交通標識の視認性向上、駐車場の停止位置までの距離把握の容易化、動物接近・進入の抑止を図ることができるレンチキュラーレンズを用いた表示装置を提供することにある。
【課題を解決するための手段】
【０００５】
かかる課題を解決した本考案の構成は、
１）  レンチキュラーレンズの背面部にレンチキュラーレンズを透過して見た場合に立体的又は視線角度の違いによって見え方が異なるように印刷された表示部を備えたことを特徴とする、レンチキュラーレンズを用いた表示装置
２）  表示部が、安全標識を構成する文字又は図形と背景とを複数のレイヤーに分けて印刷したもので、これを車両が通過する側壁又は柱又はコーナーの角部に設置することで安全標識を立体的に見せて側壁又は柱又はコーナーの視認性を高めるようにした、１）記載のレンチキュラーレンズを用いた表示装置
３）  表示部が、交通標識を構成する文字又は図形と背景とを複数のレイヤーに分けて印刷したもので、交通標識を立体的に見せて視認性を高めるようにした、１）記載のレンチキュラーレンズを用いた表示装置
４）  表示部が、駐車場の停止位置までの距離を段階的に示す数字又は文字を複数のレイヤーに分けて印刷したもので、これを駐車場の後壁又は側壁又は床面に設置することで運転者の視線角度の変化によって表示を異ならせて停止位置までの距離を把握させるようにした、１）記載のレンチキュラーレンズを用いた表示装置
５）  表示部が、動物が避けたがる他の動物又は人間の像とその背景を複数のレイヤーに分けて印刷したもので、これを動物の接近・進入が禁止されている箇所に設置することで表示されている像を立体的に見せて動物の接近・進入を抑止できるようにした、１）記載のレンチキュラーレンズを用いた表示装置
６）  表示部が、動物が避けたがる他の動物又は人間の像を動いて見せるように撮影又は描画したコマを複数のレイヤーに分けて印刷したもので、これを動物の接近・進入が禁止されている箇所に設置することで動物の視線角度の変化によって表示されている像を動くように見せて動物の接近・進入を抑止できるようにした、１）記載のレンチキュラーレンズを用いた表示装置
７）  動物の避けたがる他の動物が天敵である、５）又は６）記載のレンチキュラーレンズを用いた表示装置
にある。
【考案の効果】
【０００６】
本考案によれば、安全標識や交通標識を立体的に見せることで視認性を高め、標識の表示効果を向上させることができる。また、駐車場の後壁又は側壁又は床面に設置することで、運転者の視線角度の変化によって表示を異ならせて停止位置までの距離を容易に把握させ、駐車が苦手又は慣れていない初心者でも車両を容易且つ安全に停止位置に停車させることができる。また、動物の接近・進入が禁止される箇所に配置することで、表示されている像を立体的又は動物の視線角度の変化によって表示されている像を動くように見せて動物の接近・進入を抑止し、荒らし等の被害を低減させることができる。
【考案を実施するための最良の形態】
【０００７】
本考案の安全標識と交通標識は、従来の標識に用いられている金属板の表面に複数のレイヤーを直接印刷し、その表面にレンチキュラーレンズを積層する方法が低コストで実施できる。以下、本考案の各実施例を図面に基づいて具体的に説明する。
【実施例１】
【０００８】
図１，２に示す実施例１は、本考案を工事現場の出入口のコーナーに設置される安全標識に適用した例である。図１は実施例１の表示装置の正面図、図２は実施例１の表示部の構成を示す説明図である。図中、１０は表示装置、１１はレンチキュラーレンズ、１２は表示部、１２ａ，１２ｂはレイヤー、１３はコーナーである。
【０００９】
実施例１の表示装置１０は、図１に示すようにレンチキュラーレンズ１１の背面部に安全標識からなる表示部１２を積層して構成されている。表示部１２は、図２に示すように黒色の複数の矢印と黄色の背景がレイヤー１２ａとレイヤー１２ｂに別々に印刷されている。これにより、表示部１２をレンチキュラーレンズ１１に透過して見た場合、図１に示すように矢印が背景から浮いて遠近感を感じるように立体的に見え、視認性を向上させて車両の運転者や作業者に注意を喚起させることができる。
【実施例２】
【００１０】
図３，４に示す実施例２は、本考案を交通標識に適用した例である。図３は実施例２の表示装置の正面図、図４は実施例２の表示部の構成を示す説明図である。図中、２０は表示装置、２１はレンチキュラーレンズ、２２は表示部、２２ａ，２２ｂはレイヤー、２３は支柱である。
【００１１】
実施例２の表示装置２０は、図３に示すようにレンチキュラーレンズ２１の背面部に交通標識からなる表示部２２を積層して構成されている。表示部２２は、図４に示すように赤色の背景と白抜きの「止まれ」の文字がレイヤー２２ａとレイヤー２２ｂに別々に印刷されている。これにより、表示部２２をレンチキュラーレンズ２１に透過して見た場合、図３に示すように「止まれ」の文字が背景から浮いて遠近感を感じるように立体的に見え、視認性を向上させて運転者に注意を喚起させることができる。
【実施例３】
【００１２】
図５〜８に示す実施例３は、本考案を駐車場のガイド標識に適用した例である。図５は実施例３の表示装置の正面図、図６は実施例３の表示部のレイヤーの説明図、図７，８は実施例３の表示装置の使用状態を示す説明図である。図中、３０は表示装置、３１はレンチキュラーレンズ、３２は表示部、３２ａ〜３２ｄはレイヤー、３３は後壁、３４は車両、３５は運転者、３５ａは視線である。
【００１３】
実施例３の表示装置３０は、図５に示すようにレンチキュラーレンズ３１の背面部に駐車場の停止位置までの距離を段階的に示す表示部３２を積層して構成されている。表示部３２は、図６に示すように停止位置までの距離を示す３段階の文字「あと１ｍ」，「あと５０ｃｍ」，「あと２０ｃｍ」と「停止」の文字がレイヤー３２ａ〜３２ｄに別々に印刷されている。これにより、表示部３２をレンチキュラーレンズ３１に透過して見た場合、視線３５ａの角度の変化によってコマ送りされるように変化して見える。なお、図６は分かり易くするために視線３５ａの角度をやや誇張させて図示している。
【００１４】
図７，８に示すように、この表示装置３０を駐車場の停止位置の後壁３３に貼り付け、運転者３５が車両３４を後退させながらドアミラーを介して表示装置３０を見ると、後壁３３に接近するにしたがって視線３５ａの角度が徐々に変化し、表示部３２が図６に示すように「あと１ｍ」，「あと５０ｃｍ」，「あと２０ｃｍ」，「停止」とコマ送りされるように見え、運転者３５はそのコマ送りされる表示部３２のガイドに沿って車両３４の速度を徐々に落として停止位置に安全に停車させることができる。この例は停止位置に車輪止めがない場合に特に有用である。また、表示装置３０は後壁３３だけでなく、床面や側壁、柱などにも設置することができる。
【実施例４】
【００１５】
図９〜１１に示す実施例４は、本考案をゴミ置き場のカラス接近抑止標識に適用した例である。図９は実施例４の表示装置の正面図、図１０は実施例４の表示部のレイヤーの説明図、図１１は実施例４の表示装置の使用状態を示す説明図である。図中、４０は表示装置、４１はレンチキュラーレンズ、４２は表示部、４２ａ〜４２ｅはレイヤー、４３はゴミ置き場、４４はカラス、４４ａは視線である。
【００１６】
実施例４の表示装置４０は、図９に示すようにレンチキュラーレンズ４１の背面部にカラス４４の天敵であるオオタカが飛来してくるように見せる表示部４２を積層して構成されている。表示部４２は、図１０に示すように撮影距離を異ならせたオオタカの写真画像がレイヤー４２ａ〜４２ｅに別々に印刷されている。これにより、表示部４２をレンチキュラーレンズ４１に透過して見た場合、視線角度の変化によってコマ送りされるように変化して見える。
【００１７】
この表示装置４０をゴミ置き場４３に設置しておくと、カラス４４が接近して表示装置４０を見た場合、視線４４ａの角度の変化によってオオタカが自分に向かって急接近してきたかのように見え、カラス４４は驚いてゴミ置き場４３に近寄り難くなり、ゴミ置き場４３の荒らしを低減させることができる。この例は、人間が接近してくるように見せる表示部４２を設けることで、ネコの接近抑止にも応用できる。
【産業上の利用可能性】
【００１８】
本考案のレンチキュラーレンズを用いた表示装置は、交通標識やガイド標識の他、消防・危険物標識や防災・保安用品を示す標識など様々な標識に応用できる。
【図面の簡単な説明】
【００１９】
【図１】実施例１の表示装置の正面図である。
【図２】実施例１の表示部の構成を示す説明図である。
【図３】実施例２の表示装置の正面図である。
【図４】実施例２の表示部の構成を示す説明図である。
【図５】実施例３の表示装置の正面図である。
【図６】実施例３の表示部のレイヤーの説明図である。
【図７】実施例３の表示装置の使用状態を示す説明図である。
【図８】実施例３の表示装置の使用状態を示す説明図である。
【図９】実施例４の表示装置の正面図である。
【図１０】実施例４の表示部のレイヤーの説明図である。
【図１１】実施例４の表示装置の使用状態を示す説明図である。
【符号の説明】
【００２０】
１０  表示装置
１１  レンチキュラーレンズ
１２  表示部
１２ａ，１２ｂ  レイヤー
１３  コーナー
２０  表示装置
２１  レンチキュラーレンズ
２２  表示部
２２ａ，２２ｂ  レイヤー
２３  支柱
３０  表示装置
３１  レンチキュラーレンズ
３２  表示部
３２ａ〜３２ｄ  レイヤー
３３  後壁
３４  車両
３５  運転者
３５ａ  視線
４０  表示装置
４１  レンチキュラーレンズ
４２  表示部
４２ａ〜４２ｅ  レイヤー
４３  ゴミ置き場
４４  カラス
４４ａ  視線
【図１】
0003121102.tif 000003
【図２】
0003121102.tif 000004
【図３】
0003121102.tif 000005
【図４】
0003121102.tif 000006
【図５】
0003121102.tif 000007
【図６】
0003121102.tif 000008
【図７】
0003121102.tif 000009
【図８】
0003121102.tif 000010
【図９】
0003121102.tif 000011
【図１０】
0003121102.tif 000012
【図１１】
0003121102.tif 000013